(57)【要約】【課題】  病院や福祉介護施設に於いて、外出を禁止されている患者が設定されたエリアの外に出たことを検知して徘徊の予告を出し、その後施設外にでようとしたらドアをロックして外出を防止するシステムを提供する。【解決手段】  患者識別コードが記録されているＩＣタグを患者に身に着けさせ、接近した時に廊下灯及び出入口ユニットでＩＣタグの内容を読むことが出来る手段と、外出禁止の患者と判明した時にナースコール制御機では患者が予め設定されたエリア外に出たことを判断すると、ナースコール親機と出入口ユニットへ判断した患者情報を送る手段と、ナースコール親機で患者がエリア外にいることを看護師に予告する手段と、出入口ユニットで予告された患者が認識された時、ドアをロックし、ナースコール親機で看護師にその警告を音と表示で知らせる手段を備える。【選択図】図１
2006271819.tif 000002
【特許請求の範囲】
【請求項１】
複数のナースコール子機が複数の廊下灯を経由してナースコール制御機と接続され、前記ナースコール子機からのナースコール呼び出しを前記ナースコール制御機が受けるとナースコール親機に伝え、前記ナースコール子機と前記ナースコール親機の間で通話が出来るナースコールシステムに於いて、前記ナースコール制御機に接続されている出入口ユニット及び前記廊下灯にＩＣタグリーダを装備し、患者が身体に着けているＩＣタグを前記廊下灯通過時に読み取り、ＩＣタグに記録されている患者識別コードを前記廊下灯の記憶部に記録されている外出禁止の患者識別コードと照合し
、一致するとその情報を前記ナースコール制御機へ送り、前記ナースコール制御機では、送られてきた情報を基に病室外または設定されたエリア外に患者が出たと判定した時に、前記ナースコール制御機からその情報を前記ナースコール親機と前記出入口ユニットへ送り、前記ナースコール親機の表示部及び発音部の鳴動音で看護師に患者が徘徊している予告情報を知らせることを特徴とするナースコールシステム。
【請求項２】
病院または病棟の施設内部の出入り口近辺に設置されている前記出入口ユニットが患者の身体に着けているＩＣタグを読み取り、ＩＣタグに記録されている患者識別コードが前記ナースコール制御機から事前に受けている徘徊予告の患者と一致した場合、前記出入口ユニットは、出入り口のドアに対してドアロック信号を出力し、鳴動音または音声及び表示にてドアロックを通知すると共に、その情報を前記ナースコール制御機を経由して前記ナースコール親機へ送り、前記ナースコール親機の表示部及び発音部の鳴動音で看護師に患者の外出警告情報を知らせることを特徴とする請求項１記載のナースコールシステム。
【請求項３】
前記出入口ユニットが患者の身体に着けているＩＣタグを読み取り、ＩＣタグに記録されている患者識別コードが前記ナースコール制御機から事前に受けている徘徊予告の患者と一致しない場合、前記出入口ユニットは、出入り口のドアに対してドアロック信号を出力せず、その情報を前記ナースコール制御機へ送り、患者がドアを通過した記録を記憶部に保存し、看護師の要求時に前記ナースコール親機の表示部に患者の施設入退場の情報として表示することを特徴とする請求項１記載のナースコールシステム。
【請求項４】
看護師の要求時に前記ナースコール親機の表示部に、外出が禁止されている患者が通過した前記廊下灯及び前記出入口ユニットからの情報を基に、患者の移動経路及び移動方向を表示することを
特徴とする請求項１及び請求項２記載のナースコールシステム。
【発明の詳細な説明】
【技術分野】
【０００１】
本発明は、外出が禁止されている患者を保護するためのナースコールシステムに関する。
【背景技術】
【０００２】
周知の様に、病院や福祉介護施設では主に看護師（福祉介護施設では介護士など）と患者が通話する為のナースコールシステムが設置されている。  このナースコールシステムでは、患者が呼び出しに使用するナースコール子機が各ベッドに備えられ、ナースステーションにはナースコール親機が設置されていて、その間で通話できるようになっている。    近年、ナースコール親機を制御するナースコール制御機に連動する携帯端末ＰＨＳ（パーソナル・ハンディフォン・システム）を看護師などが持ち、必ずしもナースコール親機の所に居なくても患者と通話できるシステムを採用することが多くなっている。  （例えば、特許文献１を参照）
【０００３】
ところで、外出を禁止されている患者や痴呆性の徘徊老人が無断で病院内、施設内、病棟内から外出して事故などに遭わないために、様々な入退出管理システムが提案されている。  例えば、ＩＤカードの認識、指紋照合、パスワード照合、虹彩照合、顔画像照合、特定の無線周波数が出る無線ペンダントの認識またはこれらの組み合わせによるゲート管理であるが、ゲートの所で照合し通過を許可するか否かを決めている。（ＩＣタグによる入退出管理システムを特許文献２に示す。）  
【特許文献１】特許公開平１１−２９０４０１
【特許文献２】特許公開２００１−１０１５５１
【発明の開示】
【発明が解決しようとする課題】
【０００４】
しかし、従来提案されてきた入退出管理システムは、予告通知がないため患者が出入り口に達して初めて外出しようとしていることが判り、処置が遅れてしまうことも発生する。
また、施設の内側と外側の両方に患者を認識する装置がないと、一箇所の認識では入場なのか退場なのか区別がつかない。    そこで本発明は、患者が病室から離れ、病棟内を歩き回っていることを看護師に予告して処置が遅れないようにすること、予告された患者が出入り口に達してもドアをロックすることで外部に出られないようにすること、及び予告がない患者は外部からの入場と判断することを課題とする。
【課題を解決するための手段】
【０００５】
患者に、身に着けていることを意識させず、しかも非接触で読むことが出来るＩＣタグを外出禁止の患者に装着させ、患者識別コードが記録されているＩＣタグの内容を接近した時に廊下灯及び出入口ユニットで読むことが出来る手段と、外出禁止の患者と判明した時にその情報をナースコール制御機へ送り、ナースコール制御機では患者が病室または予め設定されたエリア外に出たことを判断すると、ナースコール親機と出入口ユニットへ判断した患者情報を送る手段と、ナースコール親機で患者がエリア外を歩いていることを看護師に予告する手段と、看護師の操作で患者の移動経過及び移動方向を表示する手段と、出入口ユニットで予告された患者が認識された時、ドアをロックしてその内容を音声や音と表示で通行者に知らせ、ナースコール親機へその警告情報を送信する手段と、ナースコール親機で看護師にその警告を音と表示で知らせる手段を備える。
【発明の効果】
【０００６】
本発明によれば、外出禁止の患者が徘徊していることを予告することにより、外に出る前に迅速な処置が執れること、患者を捜す補助として通過経路や移動方向を表示することで容易に患者を捜し出せること、また、予告することに加え出入り口での患者識別コードによる確認でドアをロックして、外出禁止の患者の外出を防止し、事故を未然に防ぐことが出来る。
【発明を実施するための最良の形態】
【０００７】
以下、本発明の実施形態を図面に基づいて説明する。
図１は、出入口ユニットの構成を示す。
図２は、廊下灯の構成を示す。
図３は、ナースコールシステムの全体の構成を示す。
【０００８】
図１に於いて、出入口ユニット（１）の全体を制御する部位が制御処理部（３）であり、マイクロコンピュータ等で構成する。  通信制御部（２）は、制御処理部（３）の制御の下でナースコール制御機（２３）と通信を行い、外出禁止患者のリスト及び徘徊の予告患者のリストを受け取り、メモリ部（４）に保存する。    
【０００９】
ＩＣタグリーダ（５）は、定期的に電波を発信してＩＣタグ（１３）を身に着けた患者が接近した時にＩＣタグ（１３）に記録されている患者識別コードを読み取り、    ＩＣタグインタフェース（６）を経由して制御処理部（３）へ送る。
【００１０】
制御処理部（３）では、入力された患者識別コードとメモリ部に保存してある外出禁止患者のリスト及び徘徊の予告患者のリストと照合し、予告されている患者と一致するとドアロックの信号を入出力部（７）、ドアロック信号出力部（１１）を経由して、ドア制御機（１４）へ出力して、ドアが開かない状態にする。  
【００１１】
ドアがロック状態になったことを一般の通行者に知らせる為に、出入り口の内側と外側に音や音声発生器及び表示装置を設置する。    また、出入口ユニット（１）にも表示部（９）  、発音部（
１０）を設ける。
【００１２】
制御処理部（３）では、ドアをロック状態にすると共にナースコール制御機（２３）へ予告患者が出入り口に到達したことを通信して知らせる。
【００１３】
制御処理部（３）は、予告者リストには無い外出禁止患者が認識された場合には、ナースコール制御機（２３）へ患者の通過を知らせるが、ドアはロックしない。    
この場合は、患者が入場したと判断する。
【００１４】
ドアロックの解除は、ドア制御機（１４）に暗証番号を入力するか認証カードを読ませた後にロック解除の操作をする手段を採り、特定者だけが解除できるようにする。  ロックが解除されると、表示及び発音が停止し、  ドア制御機（１４）から出入口ユニット（１）へドア解除信号が入力されるので、表示部（９）  、発音部（１０）はリセットされる。  出入口ユニット（１）に備えられているリセットボタン（８）を押下することでもリセットされる。
【００１５】
図２に於いて、廊下灯（１５）の全体を制御する部位が制御処理部（３）であり、マイクロコンピュータ等で構成する。        通信制御部（２）とＩＣタグリーダ（５）とＩＣタグインタフェース（６）と入出力部（７）とメモリ部（４）は、図１と同等の機能を持つ。  廊下灯は各病室の入り口近傍の廊下側に設置され、子機接続部（１９）が病室のナースコール子機（２０）と接続する部位である。
【００１６】
患者が握り押しボタン（２１）を押すと、制御処理部（３）が呼び出しを判定してナースコール制御機（２３）と通信を行い、ナースコール親機（２２）に通知する。  
ナースコール親機（２２）で応答すると通話路が形成されて、親機と子機の間で通話することが出来る。    握り押しボタン（２１）からの呼び出しがあると、患者別と代表の表示灯（１７）が表示される。      表示／操作部（１８）は、患者名や患者情報を表示したり操作する部位である。
復旧ボタン（１６）は、呼び出しを解除するときに利用する。
【００１７】
ＩＣタグリーダ（５）がＩＣタグを身につけている患者が通過すると、患者識別コードを読み取り、
メモリ部（４）に  ナースコール制御機（２３）との通信で予め保存している外出禁止患者のリストと照合して一致すると、ナースコール制御機（２３）へ外出禁止患者が通過したことを知らせる。
【００１８】
図３に於いて、複数の廊下灯（１５）と出入口ユニット（１）が通信線（１２）を介在してナースコール制御機（２３）に接続され、外出禁止の患者がその近傍を通過した情報が通知される。
ナースコール制御機（２３）では、通知があった患者が病室または設定されたエリアの外に出たと判断すると、ナースコール親機（２２）とコードレス主装置（２４）と出入口ユニット（１）へ
患者の徘徊予告の情報を送る。    
【００１９】
ナースコール親機（２２）は、予告情報を受け取ると、表示部及び発音部の鳴動音で看護師に患者が徘徊している予告情報を知らせる。    コードレス主装置（２４）は、無線機（２５）を経由して看護師が所持している携帯端末（ＰＨＳ）  （２６）を呼び出し、予告と患者名を表示する。
【００２０】
ナースコール親機（２２）では、予告や警告が発せられた時または看護師の要求時に、患者が通過した廊下灯（１５）や出入口ユニット（１）からの情報を基に患者の移動経路や移動方向を表示部に表示して、患者を捜す補助をする。    
【００２１】
ナースコール親機（２２）には操作部を備え、  外出禁止の患者を設定したり解除する機能及び
患者が日常行動する範囲からエリアを設定したり変更・解除する機能を設ける。  
設定された内容は、ナースコール制御機（２３）のメモリ部に保存すると共に、  出入口ユニット（１）及び廊下灯（１５）に送られる。
【００２２】
図４は、外出禁止の患者がある設定されたエリアから外に出た場合、ナースコール制御機（２３）で徘徊の予告判定することを説明する為の図である。    番号＃１から＃５は各病室を示し、＃１に外出禁止の患者が居ると想定する。    ＃１を中心に左右に室が離れる毎に番号を増やして表記している。
設定エリア１と設定エリア２は、＃１に居る外出禁止の患者が日常行動する境界線の範囲とする。
各病室の入り口近傍に廊下灯（１５）が設置されていて、患者が通過するとＩＣタグの内容を読むことが出来る。
【００２３】
設定エリア内にトイレや洗面所があるので、患者が売店などへ行く特別な移動が無い限り日常の行動範囲はエリア内で済む。        例えば、移動が  ＃１  →    ＃２  →  ＃３  →  ＃２  
→  ＃１  と通知されたら、ベッドに再び戻ったと判断して、徘徊の予告を出さない。
また、  ＃３  →  ＃４  の移動があり一度予告が出されても、その後で  ＃４  →  ＃３  の
移動が通知されると、予告は解除する。    エリアの設定が適切でないと、むやみに予告が頻発したり、エリアが広すぎると予告の通知が遅れる恐れがある。
【００２４】
以上、１つの実施例を説明したが、次のような応用も可能である。
面会者にＩＣタグが付いている面会カードを渡し、面会する患者以外の部屋へ入室しようとした場合に警報を出して入室を防止したり、面会カードを返却しないで病院を出ようとする時に警告を発して返却忘れを防止する。  
その他、離床を禁じられている患者が病室を出ようとしたとき、警告を発することが出来る。
【図面の簡単な説明】
【００２５】
【図１】出入口ユニットの構成
【図２】廊下灯の構成
【図３】ナースコールシステムの構成
【図４】徘徊の予告判定する為の説明図
【符号の説明】
【００２６】
1.                 
出入口ユニット                          2.      通信制御部
3.           
制御処理部                              4.      メモリ部
5.           
ＩＣタグリーダ                   
6.      ＩＣタグインタフェース部
7.           
入出力部                                8.      リセットボタン
9.           
表示部                            
10.      発音部
11.       ドアロック信号出力部                   12.      通信線
13.    ＩＣタグ                               14.      ドア制御機
15.    廊下灯                                 16.      復旧ボタン
17.    患者別／代表  表示灯                   18.      表示／操作部
19.    子機接続部                             20.      ナースコール子機
21.    握り押しボタン                         22.      ナースコール親機  
23.    ナースコール制御機                     24.      コードレス主装置
25.    無線機                                 26.      携帯端末（ＰＨＳ）
【図１】
2006271819.tif 000003
【図２】
2006271819.tif 000004
【図３】
2006271819.tif 000005
【図４】
2006271819.tif 000006